(57)【要約】【課題】上位局からのアクセスが不能となった無線基地局装置の保守を容易とすること。【解決手段】無線基地局装置は、無線基地局装置を運用するためのデータを保持するメモリ部と、メモリ部に対するデータの書き込み、及び／又は、読み出しを行うとともに、非接触ＩＣチップを内蔵した電子機器、及び／又は、非接触ＩＣカードと通信するインタフェース部とを有する。【選択図】図１
2011181988.tif 000002
【特許請求の範囲】
【請求項１】
無線基地局装置を運用するためのデータを保持するメモリ部と、
前記メモリ部に対するデータの書き込み、及び／又は、読み出しを行うとともに、非接触ＩＣチップを内蔵した電子機器、及び／又は、非接触ＩＣカードと通信するインタフェース部と、を備えていることを特徴とする無線基地局装置。
【請求項２】
前記データは、無線基地局装置を運用するためのプログラム及びパラメータ、並びに運用状況の履歴情報のうちの少なくともいずれかを含むことを特徴とする、請求項１に記載の無線基地局装置。
【請求項３】
前記履歴情報は、運用中に生じた故障又は障害の履歴情報を含むことを特徴とする、請求項２に記載の無線基地局装置。
【請求項４】
無線基地局装置に含まれるモジュールは、それぞれ識別子を付与され、前記インタフェース部は、前記識別子の読み出しを行うことを特徴とする、請求項１乃至３のいずれか１項に記載の無線基地局装置。
【請求項５】
無線基地局装置に含まれるモジュールに含まれる回路ブロックは、それぞれ識別子を付与され、前記インタフェース部は、前記識別子の読み出しを行うことを特徴とする、請求項１乃至３のいずれか１項に記載の無線基地局装置。
【請求項６】
前記モジュールは、移動体端末装置との間で電波の送受信を行うアンテナ部、上位局から受信信号をデジタル・アナログ変換して該アンテナ部に出力する送信部、該アンテナ部から受信した信号をアナログ・デジタル変換して上位局に出力する受信部、及び、無線基地局装置の制御及び運用状態の監視を行う制御部のうちの少なくともいずれかであることを特徴とする、請求項４又は５に記載の無線基地局装置。
【請求項７】
請求項１乃至６のいずれか１項に記載の無線基地局装置のメモリ部に書き込むべきデータを保持する非接触ＩＣチップを内蔵した電子機器。
【請求項８】
無線通信機能を備えていることを特徴とする、請求項７に記載の電子機器。
【請求項９】
請求項１乃至６のいずれか１項に記載の無線基地局装置のメモリ部に書き込むべきデータを保持する非接触ＩＣカード。
【請求項１０】
無線基地局装置に設けられたインタフェース部が、非接触ＩＣチップを内蔵した電子機器、又は、非接触ＩＣカードと通信する工程と、
前記無線基地局装置を運用するためのデータを保持するメモリ部に対するデータの書き込み、及び／又は、読み出しを行う工程と、を含むことを特徴とする無線基地局装置の保守方法。
【発明の詳細な説明】
【技術分野】
【０００１】
本発明は、無線基地局装置及びその保守方法に関し、特に、移動体通信システムにおける無線基地局装置及びその保守方法に関する。
【背景技術】
【０００２】
一般に、移動体通信ネットワークシステムにおける無線基地局装置（ＢＴＳ：Ｂａｓｅ  Ｔｒａｎｓｃｅｉｖｅｒ  Ｓｔａｔｉｏｎ）に対して、プログラムの更新、装置情報（故障箇所の特定や稼動状況の確認）の読み出し等の保守を施す場合には、夜間、早朝等のトラフィック使用率の低い時間帯に、上位局から遠隔アクセスが行われる。
【０００３】
一方、ＢＴＳの故障により上位局からの遠隔アクセスが不可能な場合、又は、緊急を要する場合には、作業者がＢＴＳの設置場所に直行して作業を行わなくてはならない。この際、移動体通信ネットワークシステムへの影響を最小限に抑えるべく、迅速かつ正確な作業が求められることから、作業者には専門的な知識が求められる。また、作業場所となるＢＴＳの設置場所は、必ずしも専用局舎とは限らず、ビルの屋上、鉄塔上の場合もあり、ピコセルＢＴＳについては家庭、オフィス等の場合もあることから、様々な環境下での作業実施が考えられる。
【０００４】
なお、特許文献１に、多数の通信装置のソフトウェアをバージョンアップする必要があるときに、新バージョンのソフトウェアを上位局装置から全通信装置へダウンロードする所要時間を短くし、上位局装置の処理量を減らす処理装置が記載されている。
【０００５】
また、特許文献２に、移動通信システムに用いられる基地局装置において、容易かつ高い信頼性で、制御プログラムの更新を可能とするプログラム更新方法及び通信装置が記載されている。
【０００６】
さらに、特許文献３に、基地局の数が増加した場合であっても、保守監視卓から基地局に対してプログラムを効率よくダウンロードすることができるファイルダウンロード方法が記載されている。
【先行技術文献】
【特許文献】
【０００７】
【特許文献１】特開２００２−１２３３９８号公報
【特許文献２】特開２００５−１８２４８４号公報
【特許文献３】特開２００６−０５４８０４号公報
【発明の概要】
【発明が解決しようとする課題】
【０００８】
以下の分析は、本発明者によってなされたものである。
【０００９】
上記のように作業者がＢＴＳの設置場所において、ＢＴＳの保守（整備、維持、点検、手入れ等を含む）を行う場合には、近年のセキュリティ強化の風潮により、従来のようにパソコンから専用のデバッグ用通信ツールを起動してＢＴＳに有線接続し、データの読み出し及び書き込みを行うことは、困難となっている。
【００１０】
そこで、上位局からのアクセスが不能となった無線基地局装置の保守を容易とすることが課題となる。本発明の目的は、かかる課題を解決する無線基地局装置及びその保守方法を提供することにある。
【課題を解決するための手段】
【００１１】
本発明の第１の視点に係る無線基地局装置は、
無線基地局装置を運用するためのデータを保持するメモリ部と、
前記メモリ部に対するデータの書き込み、及び／又は、読み出しを行うとともに、非接触ＩＣチップを内蔵した電子機器、及び／又は、非接触ＩＣカードと通信するインタフェース部と、を有する。
【００１２】
本発明の第２の視点に係る、無線基地局装置の保守方法は、
無線基地局装置に設けられたインタフェース部が、非接触ＩＣチップを内蔵した電子機器、又は、非接触ＩＣカードと通信する工程と、
前記無線基地局装置を運用するためのデータを保持するメモリ部に対するデータの書き込み、及び／又は、読み出しを行う工程と、を含む。
【発明の効果】
【００１３】
本発明に係る無線基地局装置及びその保守方法によると、上位局からのアクセスが不能となった無線基地局装置の保守を容易に行うことができる。
【図面の簡単な説明】
【００１４】
【図１】本発明の第１の実施形態に係る無線基地局装置（ＢＴＳ）の構成を示すブロック図である。
【図２】本発明の第１の実施形態に係るＢＴＳの動作（装置障害情報データの取得）について説明するための図である。
【図３】本発明の第１の実施形態に係るＢＴＳの動作（プログラム更新）について説明するための図である。
【図４】従来のフェムトセルＢＴＳないしピコセルＢＴＳ（ホームアンテナ）の設置の様子を示す図である。
【図５】本発明の第２の実施形態に係るＢＴＳ保守方法について説明するための図である。
【図６】本発明の第３の実施形態に係るＢＴＳ保守方法について説明するための図である。
【図７】本発明の第４の実施形態に係るＢＴＳの構成を示すブロック図である。
【発明を実施するための形態】
【００１５】
本発明の第１の展開形態によると、上記第１の視点に係る無線基地局装置が提供される。
【００１６】
本発明の第２の展開形態によると、前記データは、無線基地局装置を運用するためのプログラム及びパラメータ、並びに運用状況の履歴情報のうちの少なくともいずれかを含む、無線基地局装置が提供される。
【００１７】
本発明の第３の展開形態によると、前記履歴情報は、運用中に生じた故障又は障害の履歴情報を含む、無線基地局装置が提供される。
【００１８】
本発明の第４の展開形態によると、無線基地局装置に含まれるモジュールは、それぞれ識別子を付与され、前記インタフェース部は、前記識別子の読み出しを行う、無線基地局装置が提供される。
【００１９】
本発明の第５の展開形態によると、無線基地局装置に含まれるモジュールに含まれる回路ブロックは、それぞれ識別子を付与され、前記インタフェース部は、前記識別子の読み出しを行う、無線基地局装置が提供される。
【００２０】
本発明の第６の展開形態によると、前記モジュールは、移動体端末装置との間で電波の送受信を行うアンテナ部、上位局から受信信号をデジタル・アナログ変換して該アンテナ部に出力する送信部、該アンテナ部から受信した信号をアナログ・デジタル変換して上位局に出力する受信部、及び、無線基地局装置の制御及び運用状態の監視を行う制御部のうちの少なくともいずれかである、無線基地局装置が提供される。
【００２１】
本発明の第７の展開形態によると、上記第１乃至６のいずれか一の展開形態に記載の無線基地局装置のメモリ部に書き込むべきデータを保持する、非接触ＩＣチップを内蔵した電子機器が提供される。
【００２２】
本発明の第８の展開形態によると、上記第７の展開形態の電子機器において、さらに無線通信機能を有する、電子機器が提供される。
【００２３】
本発明の第９の展開形態によると、上記第１乃至５のいずれか一の展開形態に記載の無線基地局装置のメモリ部に書き込むべきデータを保持する非接触ＩＣカードが提供される。
【００２４】
本発明の第１０の展開形態によると、上記第２の視点に係る、無線基地局装置の保守方法が提供される。
【００２５】
本発明に係る無線基地局装置は、無線基地局装置を運用するためのデータを保持するメモリ部に対するデータの書き込み、及び／又は、読み出しを行うとともに、非接触ＩＣチップを内蔵した電子機器、及び／又は、非接触ＩＣカードと通信するインタフェース部を有する。したがって、無線基地局装置のインタフェース部に対して、非接触ＩＣチップを内蔵した電子機器、又は、非接触ＩＣカードをかさずのみで、無線基地局装置のメモリ部に対するデータの書き込み、及び／又は、読み出しを行うことができる。
【００２６】
ゆえに、本発明に係る無線基地局装置及びその保守方法によると、上位局からのアクセスが不能となった無線基地局装置の保守を容易に行うことができる。
【００２７】
（実施形態１）
本発明の第１の実施形態に係る無線基地局装置（ＢＴＳ）について、図面を参照して説明する。図１は、本実施形態に係るＢＴＳ１００の構成を示すブロック図である。
【００２８】
図１を参照すると、ＢＴＳ１００は、アンテナ部１０１、送信部１０２、受信部１０３、制御部１０４、メモリ部１０５及びインタフェース部１０８を有する。
【００２９】
アンテナ部１０１は、移動体通信システム無線端末装置（ＭＳ：Ｍｏｂｉｌｅ  Ｓｔａｔｉｏｎ）との電波送受信機能を備える。
【００３０】
送信部１０２は、上位局１１０からの下り送信信号に対してディジタル処理を施した後、信号のＤ／Ａ変換及び周波数変換を行い、アンテナ部１０１に出力する。
【００３１】
受信部１０３は、アンテナ部１０１から受信した上り受信信号を周波数変換及びＡ／Ｄ変換した後、ディジタル制御を行い、上位局１１０へ出力する。
【００３２】
制御部１０４は、送信部１０２、受信部１０３を含むＢＴＳ１００全体の制御や運用状態の監視を行う。
【００３３】
メモリ部１０５は、ＢＴＳ１００を運用するためのプログラム、パラメータ、運用状況の履歴情報、運用中に発生した障害や故障内容の履歴情報等を保持する。メモリ部１０５は、実際に運用プログラムが保存されているプログラム格納エリア１０６と、実際に障害や故障内容履歴が保存されている障害情報格納エリア１０７とを含んでいてもよい。
【００３４】
インタフェース部１０８は、非接触型ＩＣカード１０９とのインタフェース機能を備え、メモリ部１０５と非接触ＩＣカード１０９との間におけるデータ通信を可能とする。
【００３５】
非接触ＩＣカード１０９の規格としては、ＩＳＯ／ＩＥＣ１０５３６、ＩＳＯ／ＩＥＣ１４４４３、ＩＳＯ／ＩＥＣ１５６９３等が挙げられる。なお、単体のカードである非接触ＩＣカード１０９を用いてもよいし、かかるＩＣカードと同等の機能を備えたＩＣチップを内蔵した機器を用いるようにしてもよい。
【００３６】
また、インタフェース部１０８は、Ｂｌｕｅｔｏｏｔｈ（ＩＥＥＥ８０２．１５．１）その他の近距離無線通信規格に対応したインタフェース部によって置き換えることもできる。このとき、非接触ＩＣカード１０９も、置換後の近距離無線通信規格に対応した機器によって置き換えられる。
【００３７】
一般に、移動体通信システムネットワーク下に設置された多数のＢＴＳ１００に対して、プログラムの更新、発生した障害／故障内容の履歴情報の読み出し等の運用中の保守を行う場合には、上位局１１０からＢＴＳ１００への遠隔操作により、送信部１０２、受信部１０３及び制御部１０４を介して、メモリ部１０５内に存在するプログラム格納エリア１０６又は障害情報格納エリア１０７へのアクセスを行う。
【００３８】
しかしながら、ＢＴＳ１００が故障し、上位局１１０からの遠隔操作が不可能となった場合には、メモリ部１０５への遠隔アクセスによる保守作業は不可能となるため、作業者がＢＴＳ１００の設置場所において、保守作業を行う必要がある。
【００３９】
このとき、同一の移動体通信システムネットワークにおける他の装置に影響を与えないよう、ＢＴＳ１００に対して、迅速、正確、かつ、注意深い取り扱いが求められる。また、かかる保守作業を行うに際し、専用のデバッグ用通信ツールをＢＴＳ１００に接続し、制御部１０４を介してメモリ部１０５にアクセスすることになる。したがって、保守の作業者には、専門的な知識と技術が求められる。また、ＢＴＳ１００は、必ずしも専用局舎に設置されているとは限らず、ビル屋上、鉄塔上等、保守作業が困難なロケーションに設置されているある場合も多く、保守の作業者に対する負担は大きい。
【００４０】
一方、本実施形態に係るＢＴＳによると、以下で詳述するような保守が実現される。本実施形態に係るＢＴＳの保守について、図面を参照して説明する。
【００４１】
図２は、本実施形態のＢＴＳ１００において、メモリ部１０５内の障害情報格納エリア１０７に保存されているデータを読み出すときの様子を示す図である。従来の保守方法によると、専用のデバッグ用通信ツールをＢＴＳ１００に接続し、運用状態に影響を与えないように慎重に読み出し、保守作業を実施する必要がある。
【００４２】
しかし、本実施形態のＢＴＳ１００においては、非接触ＩＣカード１０９をインタフェース部１０８にかざしてデータ通信を開始することで、容易に障害情報格納エリア１０７に格納されたデータを読み出すことができる。
【００４３】
ただし、非接触ＩＣカード１０９には、障害情報格納エリア１０７に保存されたデータを読み出す手順を実行するためのプログラムを予め設定をしておく必要がある。
【００４４】
図３は、本実施形態のＢＴＳ１００において、メモリ部１０５内のプログラム格納エリア１０６に保存するデータを更新するときの様子を示す図である。図２を参照して説明した場合と同様に、本実施形態のＢＴＳ１００によると、専用のデバッグ用通信ツールをＢＴＳ１００に接続することなく、非接触ＩＣカード１０９をインタフェース部１０８にかざしてデータ通信を開始することで、容易にプログラム格納エリア１０６のデータを更新することができる。
【００４５】
ただし、非接触ＩＣカード１０９には、プログラム格納エリア１０６に新たに書き込むための更新用プログラムと、プログラム格納エリア１０６に前述の更新用プログラムを書き込む手順を実行するためのプログラムとを、予め設定をしておく必要がある。
【００４６】
本実施形態のＢＴＳ１００によると、インタフェース部１０８を設けたことにより、所望の動作を実現するためのプログラムを予め設定した非接触ＩＣカード１０９を用意して、非接触ＩＣインタフェース部１０８にかざすだけで、ＢＴＳ１００のプログラムを容易に更新することができ、専用のデバッグ用通信ツールが不要となる（第１の効果）。
【００４７】
また、本実施形態のＢＴＳ１００によると、インタフェース部１０８を設けたことにより、所望の動作を実現するためのプログラムを予め設定した非接触ＩＣカード１０９を用意しておけば、非接触ＩＣインタフェース部１０８にかざすだけで、ＢＴＳ１００の運用状況、運用中に発生した障害・故障内容の履歴情報等を容易に読み出すことができ、専用のデバッグ用通信ツールが不要となる（第２の効果）。
【００４８】
なお、本実施形態のＢＴＳ１００によると、単体のカードである非接触ＩＣカード１０９を用いた場合と、これと同等の機能を備えたＩＣチップを内蔵した機器を用いた場合のいずれも場合であっても、上記の効果がもたらされる。
【００４９】
さらに、本実施形態のＢＴＳ１００によると、運用中のＢＴＳ１００の故障により上位局１１０からの遠隔アクセスが不可能となり、直接ＢＴＳ１００の設置場所で保守作業を行わなければならないときに、作業者の作業内容が簡単化され、装置の誤作動及び作業時間の遅延を防ぎ、作業者の負担を軽減することができる。
【００５０】
（実施形態２）
本発明の第２の実施形態に係る、無線基地局装置（ＢＴＳ）の保守方法について、図面を参照して説明する。
【００５１】
はじめに、従来のフェムトセルＢＴＳないしピコセルＢＴＳについて説明する。図４は、従来のフェムトセルＢＴＳないしピコセルＢＴＳ１２００の設置の様子を示す。図４を参照すると、各家庭やオフィスに超低出力送信タイプのピコセルＢＴＳ１２００が設置され、上位局１１０とは、専用回線を含む様々なネットワーク回線網１２０２を介して接続されている。このとき、移動体通信システム無線端末装置（ＭＳ）１２０１は、電波の届きにくい家庭若しくはオフィスのような室内又は地下エリアのような狭い範囲において、ピコセルＢＴＳ１２００との無線通信を行うことで、移動体通信システムのサービスを享受することができる。
【００５２】
上記の第１の実施形態において説明したように、この状況で、ピコセルＢＴＳ１２００が故障し、上位局１２１０からの遠隔アクセスが不可能となった場合、作業者は、家庭、オフィス等の装置が実際に設置されている場所において、保守作業を実施しなければならない。現在ではセキュリティに対する意識が高まっていることから、家庭、オフィス等の個人的、私的な場所においては、入局調整が難航し、又は、ユーザの監視下における作業を強いられること等により、保守作業者の負担が重くなっている。
【００５３】
図５は、図４を参照して説明した従来のフェムトセルＢＴＳないしピコセルＢＴＳに対して、上記の第１の実施形態において説明したインタフェース部１０８を設けたときの様子を示す図である。すなわち、本実施形態のピコセルＢＴＳ２００は、インタフェース部２０８を有する。
【００５４】
インタフェース部２０８は、非接触型ＩＣカード２０９とのインタフェース機能を備え、ピコセルＢＴＳ２００のメモリ部（非図示）と非接触ＩＣカード２０９との間におけるデータ通信を可能とする。
【００５５】
本実施形態によると、ピコセルＢＴＳ２００のプログラム更新や運用障害情報履歴のデータ読み出しといった保守作業は、非接触ＩＣカード２０９をインタフェース部２０８にかざすのみとなり、作業の簡単化と時間の短縮化が可能となる。したがって、保守作業者には専門性及び知識が要求されず、これらを有していない者であっても保守作業を行うことができる。
【００５６】
また、本実施形態のＢＴＳの保守方法によると、移動体通信事業者が予めユーザに非接触ＩＣカード２０９を配布しておき、ピコセルＢＴＳ２００の故障が疑われる場合には、ユーザに障害情報履歴の取得を依頼することもできる。
【００５７】
（実施形態３）
本発明の第３の実施形態に係る、無線基地局装置（ＢＴＳ）の保守方法について、図面を参照して説明する。
【００５８】
図６は、図５における非接触ＩＣカード２０９を使用する代わりに、これと同等の機能を備えた非接触ＩＣチップ３０３を無線端末装置（ＭＳ）３０１に内蔵させた場合を示している。図６を参照すると、ピコセルＢＴＳ３００は、インタフェース部３０８を有する。
【００５９】
インタフェース部３０８は、非接触型ＩＣチップ３０３とのインタフェース機能を備え、ピコセルＢＴＳ３００のメモリ部（非図示）と非接触ＩＣチップ３０３との間におけるデータ通信を可能とする。
【００６０】
本実施形態によると、ピコセルＢＴＳ３００のプログラム更新や運用障害情報履歴のデータ読み出しといった保守作業は、非接触ＩＣチップ３０３の内蔵箇所を、インタフェース部３０８にかざすのみとなり、作業の簡素化と時間の短縮化が可能となる。
【００６１】
また、ＭＳ３０１のデータ通信機能を用いて、取得した障害情報履歴データを移動体通信事業者に送付することもできる。ただし、自局のピコセルＢＴＳ３００が故障している場合には、他のＢＴＳセルエリアから通信を行う必要がある。
【００６２】
本実施形態のＢＴＳの保守方法によると、移動体通信事業者がユーザに非接触ＩＣチップ３０３内蔵のＭＳ３０１を提供し、ピコセルＢＴＳ３００の故障が疑われる場合には、ユーザに障害情報履歴の取得及び送付を依頼することもできる。
【００６３】
（実施形態４）
本発明の第４の実施形態に係る無線基地局装置（ＢＴＳ）について、図面を参照して説明する。図７は、本実施形態に係るＢＴＳの構成を示すブロック図である。
【００６４】
図７を参照すると、ピコセルＢＴＳ４００は、アンテナ部４０１、送信部４０２、受信部４０３、制御部４０４、メモリ部４０５及びインタフェース部４０８を有する。これらの各部は、第１の実施形態に係るＢＴＳ１００の各部と同様の機能を有する。以下では、第１の実施形態のＢＴＳ１００と本実施形態のピコセルＢＴＳ４００との相違点について説明する。
【００６５】
アンテナ部４０１は、アンテナ部４０１がピコセルＢＴＳ４００で使用されるべき正規のアンテナ部であることを示すためのＩＤ情報であるアンテナ部ＩＤ情報４１１を保持している。
【００６６】
送信部４０２は、送信部４０２がピコセルＢＴＳ４００で使用されるべき正規の送信部であることを示すためのＩＤ情報である送信部ＩＤ情報４１２を保持している。
【００６７】
受信部４０３は、受信部４０３がピコセルＢＴＳ４００で使用されるべき正規の送信部であることを示すためのＩＤ情報である受信部ＩＤ情報４１３を保持している。
【００６８】
制御部４０４は、制御部４０４がピコセルＢＴＳ４００で使用されるべき正規の送信部であることを示すＩＤ情報である制御部ＩＤ情報４１４を保持している。
【００６９】
上記の第２の実施形態及び第３の実施形態で説明したフェムトセル方式又はピコセル方式の移動体通信システムネットワークにおいては、ピコセルＢＴＳ４００がユーザと近い場所に設置されるため、不正に改造されるおそれがある。特に、送信部４０２を不正に改造して送信出力を向上させた場合には、他の機器への干渉波又は妨害波となるおそれがあり、電波法にも違反するおそれがある。しかし、ハードウエアが改造されたか否かを運用中のピコセルＢＴＳ４００の外観から識別することは困難であるため、通常は、システムを停止して、装置の筐体を開けて内部の状態を目視で確認しなければならない。
【００７０】
本実施形態では、インタフェース部４０８は、アンテナ部４０１、送信部４０２、受信部４０３及び制御部４０４におけるアンテナ部ＩＤ情報４１１、送信部ＩＤ情報４１２、受信部ＩＤ情報４１３及び制御部ＩＤ情報４１４を参照することができる。したがって、非接触ＩＣカード４０９によって、各部のハードウエア情報を読み出し、不正改造の有無を識別することができる。
【００７１】
ＩＤ情報の付与方法については、例えば、送信部４０２全体を１つのモジュールとみなして、送信部４０２に１つのＩＤ情報を付与するようにしてもよい。しかし、この場合には、モジュール全体を交換したような改造しか識別することができない。そこで、内部の回路ブロック毎にＩＤ情報を付与することが好ましい。
【００７２】
なお、上記の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００７３】
１００  無線基地局装置（ＢＴＳ）
１０１、４０１  アンテナ部
１０２、４０２  送信部
１０３、４０３  受信部
１０４、４０４  制御部
１０５、４０５  メモリ部
１０６、４０６  プログラム格納エリア
１０７、４０７  障害情報格納エリア
１０８、２０８、３０８、４０８  インタフェース部
１０９、２０９、４０９  非接触ＩＣカード
１１０、２１０、３１０、１２１０  上位局
２００、３００、４００、１２００  ピコセルＢＴＳ
２０２、３０２、１２０２  ネットワーク回線網
３０１、１２０１  無線端末装置（ＭＳ）
３０３  非接触ＩＣチップ
４１１  アンテナ部ＩＤ情報
４１２  送信部ＩＤ情報
４１３  受信部ＩＤ情報
４１４  制御部ＩＤ情報
【図１】
2011181988.tif 000003
【図２】
2011181988.tif 000004
【図３】
2011181988.tif 000005
【図４】
2011181988.tif 000006
【図５】
2011181988.tif 000007
【図６】
2011181988.tif 000008
【図７】
2011181988.tif 000009